(57)【要約】【課題】計量キャップの天蓋と残りの部分とを別体として形成し、その天蓋から延出したスケール板を目盛りとして利用することで、見易く確実に計量することができる計量容器を提供する。【解決手段】口頸部４を起立する容器体２と、この口頸部４の周面に対して下端部を直接乃至間接にかつ液密に連結した有頂筒形の計量キャップ20とを備え、この計量キャップ20を、上端開口で透明の筒体20ａと、この筒体の上端部に嵌合させた天蓋20ｂとで形成し、かつこの天蓋の外周部の一部から、上記筒体20ａの周面に沿って、計量しようとする容量に応じた長さを有する不透明のスケール板36を垂下している。【選択図】図１
2007091304.tif 000002
【特許請求の範囲】
【請求項１】
口頸部４を起立する容器体２と、この口頸部４の周面に対して下端部を直接乃至間接にかつ液密に連結した有頂筒形の計量キャップ20とを備え、この計量キャップ20を、上端開口で透明の筒体20ａと、この筒体の上端部に嵌合させた天蓋20ｂとで形成し、かつこの天蓋の外周部の一部から、上記筒体20ａの周面に沿って、計量しようとする容量に応じた長さを有するスケール板36を垂下したことを特徴とする、計量容器。
【請求項２】
上記スケール板36は、その全体として視覚により上記筒体20ａから識別可能としたことを特徴とする、請求項１記載の計量容器。
【請求項３】
複数のスケール板36を、相互に隣接させて階段状に連続形成したことを特徴とする、請求項１又は請求項２記載の計量容器。
【請求項４】
上記スケール板36を、筒体20ａの内面側に沿って設けたことを特徴とする、請求項１乃至請求項３の何れかに記載の計量容器。
【請求項５】
上記スケール板36を含む天蓋20ｂ全体を有色材料で形成するとともに、当該スケール板に対応する筒体20ａ部分の外面に、そのスケール板で計量しようとする容量に応じた数値などの表示要素38を表したことを特徴とする、請求項４の何れかに記載の計量容器。
【請求項６】
上記筒体20ａの下端部を嵌合筒22として、この嵌合筒とスケール板との間の筒体部分の内面下部から下端小径でテーパ状の注出筒28を下内方へ突出するとともに、その筒体20ａと容器体２の口頸部４との間に、嵌合筒22及び口頸部４にそれぞれ上下両半部を嵌合させた連結筒部材10を設け、かつこの連結筒部材10の内面から、上記注出筒28内方に、内容物を傾注するための注出樋18を起立したことを特徴とする、請求項１乃至請求項５の何れかに記載の計量容器。
【発明の詳細な説明】
【技術分野】
【０００１】
本発明は、計量容器、特に液体や粉体を計量するためのスケール手段を備えた容器に関する。
【背景技術】
【０００２】
従来、この種容器として、容器体の口頸部外面から起立する連結筒の上半部に有頂筒形で透明の計量キャップを嵌合させ、この計量キャップの内面又は外面に、計量目盛り（目盛り線及び数字）を印刷したラベルを貼着するとともに、上記連結筒の内面から計量キャップ内方へ注出樋を起立しているものが知られている（特許文献１）。
【０００３】
又、容器体の口頸部外面へ嵌合させた有頂筒形の計量キャップの下半部を、下向き段差を介して拡径する大内径部として、当該段差を目盛り線としたものが知られている（特許文献２）。
【特許文献１】特開2000−142741号
【特許文献２】特開2003−128110号
【発明の開示】
【発明が解決しようとする課題】
【０００４】
特許文献１の如く透明な計量キャップに、印刷された目盛り線を形成する場合には、次のような問題点があった。
【０００５】
第１に、上記の目盛り線は計量キャップの周壁の一部に記号としてプリントされているに過ぎないので、利用者の注意を十分に喚起できない場合がある。例えば光量の不十分な部屋で計量しようとする場合などである。
【０００６】
第２に、目盛り線をプリントした透明ラベルを、計量キャップの内周面に貼着したときには、計量キャップ内への内溶液の注入による飛散により、又、外周面に貼着したときには、計量キャップの開口部からの液垂れにより、それぞれ液体がラベルに付着して目盛り線が読み難くなるおそれがある。
【０００７】
第３に、目盛り線付きの計量キャップに有色の液体又は粉体を注入した場合に、目盛り線がはっきり見えないために、上昇していく液面乃至粉面と目盛り線との一致・不一致を判断し難いことがある。
【０００８】
特許文献２の如く計量キャップの周壁内面に形成した段差を目盛り線として利用する場合には、計量キャップを反転させて内容物を注ぎ込む際に上方から目盛り線を覗き込む必要があり、目盛り線が見え難い。
【０００９】
そこで本発明は、計量キャップの天蓋と残りの部分とを別体として形成し、その天蓋から延出したスケール板を目盛りとして利用することで、見易く確実に計量することができる計量容器を提供することを目的とする。
【課題を解決するための手段】
【００１０】
第１の手段は、口頸部４を起立する容器体２と、この口頸部４の周面に対して下端部を直接乃至間接にかつ液密に連結した有頂筒形の計量キャップ20とを備え、この計量キャップ20を、上端開口で透明の筒体20ａと、この筒体の上端部に嵌合させた天蓋20ｂとで形成し、かつこの天蓋の外周部の一部から、上記筒体20ａの周面に沿って、計量しようとする容量に応じた長さを有するスケール板36を垂下している。
【００１１】
本手段では、計量キャップの表面に計量目盛りを印刷又は刻印する代わりに、物差しに相当する機能を有するスケール板を、計量キャップの筒体と別体として形成した天蓋から垂下している。もっとも後述の如くスケール板と併せて計量目盛りを計量キャップの適所に設けても構わない。
【００１２】
「スケール板」は、少なくとも先端（倒立状態での上端）が物差しの目盛りに相当する機能を有し、倒立時の計量キャップ内へ注入した内容物の上面がスケール板の上端に到達したときに一定容量が計量できるように、当該容量に応じた上下長さを有している。計量キャップの筒体が直筒形であるとき、即ち横断面が一定であるときには、当該容量に比例した長さとすれば良い。尚、スケール板は、後述の如く筒体と異なる色で形成することが望ましい。しかしながら、たとえ筒体とスケール板とをともに無色透明であっても、スケール板を筒体と別体に形成したので、スケール板の下縁は、光が乱反射するため、透明の筒壁に計量線を刻印したのと同程度には目盛りとしての識別性を発揮する。
【００１３】
複数のスケール板を設ける場合には、各スケール板は、後述の連続形成しても良いが、棒グラフ状に分離して形成しても良い。スケール板は、デザイン的にどのような形状でも良いが、装飾的な要素を排除してシンプルな帯状とすると、一見してスケール手段であることが分かるので好適である。
【００１４】
「天蓋」は、筒体の上端部に密嵌されている。好ましくは天蓋の頂壁周縁から垂下した垂下壁の下半部を、小外径部又は大内径部として、この小外径部の外面乃至大内径部の内面に、筒体上端部の外面乃至内面のうち対向する面へ嵌着させ、かつこれら小外径部乃至大内径部の上端面から筒体の内周面又は外周面に沿ってスケール板を垂下すれば良い。
【００１５】
「計量キャップ」は、後述の如く連結筒部材を介して容器体口頸部へ間接的に取り付けるとよいが、例えば既述特許文献２の計量キャップと同様に、計量キャップの筒体を、容器体口頸部の外面へ直接嵌合させても良い。
【００１６】
第２の手段は、第１の手段を有し、かつ上記スケール板36は、その全体として視覚により上記筒体20ａから識別可能としている。
【００１７】
本手段では、スケール板の全体が筒体から識別できるようにすることとして、計量標識としての機能を確実なものとしている。「筒体から識別可能」とするとは、筒体と異なる色彩とする場合（異色透明及び異色不透明の何れでも良い）と、表面で光が散乱するように処理する場合との双方を含む。また「全体として」とは、おおよそスケール板全体の輪郭が筒体から識別できれば足りる。
【００１８】
第３の手段は、第１の手段又は第２の手段を有し、かつ複数のスケール板36を、相互に隣接させて階段状に連続形成している。
【００１９】
前述の如く、目盛り線を印字した従来公知の透明の計量キャップに有色の液体又は粉体を注入した場合に、目盛り線が見えにくいために、その液面乃至粉面が目盛り線に対して上又は下にあるのか或いは一致しているのかを判断し難いことがあるが、本手段の如く複数のスケール板を階段状に連続させているので、それまでスケール板によって隠されていた液面乃至粉面が見えるようになれば注入量が所要量に達したことが判るようになるので、誰にでも確実に計量することができる。尚、スケール板を含む天蓋の色彩は予定される液体又は粉体の色彩と明瞭に区別できるものとすることが望ましい。
【００２０】
第４の手段は、第１の手段乃至第３の手段を有し、かつ上記スケール板36を、筒体20ａの内面側に沿って設けている。
【００２１】
内容物を計量するという機能を担保するという観点からは、スケール板を筒体の外側に設けてもよいが、そうすると筒体を掴むときにスケール板が手に当たって使用感が良くないため、本手段では、スケール板を筒体の内側に設けている。
【００２２】
第５の手段は、第４の手段を有し、かつ上記スケール板36を含む天蓋20ｂ全体を有色材料で形成するとともに、当該スケール板に対応する筒体20ａ部分の外面に、そのスケール板で計量しようとする容量に応じた数値などの表示要素38を表している。
【００２３】
本手段では、各スケール板に応じたスケール量の表示を、スケール板の嵌合箇所とは反対側である筒体外面側に表している。こうすることで、当該表示に内容物が付着して読み取り難くなることを防止している。表示の方法としては、印字・刻印などが考えられる。表示の内容については、「○ｃｃ」の如く具体的な数値を表示しても良いが、「多」・「小」のような文字、その他の記号であっても構わない。
【００２４】
第６の手段は、第１の手段乃至第５の手段のいずれかを有し、かつ上記筒体20ａの下端部を嵌合筒22として、この嵌合筒とスケール板との間の筒体部分の内面下部から下端小径でテーパ状の注出筒28を下内方へ突出するとともに、その筒体20ａと容器体２の口頸部４との間に、嵌合筒22及び口頸部４にそれぞれ上下両半部を嵌合させた連結筒部材10を設け、かつこの連結筒部材10の内面から、上記注出筒28内方を通って、内容物を傾注するための注出樋18を起立している。
【００２５】
本手段では、計量キャップ内から先端（正立時の下端）小径の注出筒を介して計量液体を徐々に注出できるようにして、注出筒の外面へ液垂れを生じないようにするとともに、仮に液垂れを生じても、上記嵌合筒が水返しの機能を果たして、スケール板を内嵌させた筒体部分へ当該液体が流れていくことを防止するので、垂れた液体でスケール板やスケール量の表示が見にくくなることがない。又、本手段では、注出樋を介して容器体内から倒立状態の計量キャップ内へ内容物を注入するので、上記注出筒の先端開口から外へ内容物をこぼすことを防止できる。
【発明の効果】
【００２６】
第1の手段に係る発明によれば、次の機能を生ずる。
○計量キャップ20の透明筒体20ａに目盛り線などを刻印する代わりに同様の機能を有するスケール板36を、上記筒体20ａの表面に沿ってこの筒体とは別体として設けており、計量の際にはまずスケール板の輪郭が利用者の目に入り、この輪郭を目で追って上記目盛り線に相当するスケール板36の下縁（倒立時の上縁）が直ちに見つかるから、使い勝手が良い。
○上記計量キャップ20を筒体20ａと天蓋20ｂとで形成し、この天蓋の外周部の一部からスケール板36を垂下したから、このスケール板36を天蓋20ｂとともに一体として筒体20ａに組み込むことができるので、天蓋を取り付けるタイプの計量キャップにおいて、その製造及び組立て作業が容易である。
【００２７】
第２の手段に係る発明によれば、上記スケール板36を、その全体として視覚により上記筒体20ａから識別可能としたから、更にスケール板36が見易くなり、計量が容易となる。
【００２８】
第３の手段に係る発明によれば、複数のスケール板36を、相互に隣接させて階段状に連続形成したから、その階段状の各スケール板の先端（倒立時）から、液面乃至粉面が表れたときに、注入量が一定容量に達したことが分かり、誰にでも確実に計量することができる。
【００２９】
第４の手段に係る発明によれば、上記スケール板36を、筒体20ａの内面側に沿って設けたから、筒体20ａを把持するときにスケール板36が他物に触れて破損することがない。
【００３０】
第５の手段に係る発明によれば、次の効果を奏する。
○スケール板36に対応する筒体20ａ部分の外面に、そのスケール板で計量しようとする容量に応じた数値などの表示要素38を表したから、当該要素に内容物が付着して読みにくくなることを防止できる。
○上記スケール板36を含む天蓋20ｂ全体を有色材料で形成したから、素材の色彩の選択により、筒体20ａとの色分けを容易に行うことができる。
【００３１】
第６の手段に係る発明によれば、次の効果を生ずる。
○計量キャップ20は、筒体20ａ内面からテーパ状の注出筒28を下内方へ突出したから、計量キャップから外部へ内容物を注出する際に、注出筒の先端の径が小さいので内容物を徐々に注出し易く、注出筒28の外側へ液垂れを生じたり、粉体をこぼしたりすることを防止できる。
○上記注出筒28は、嵌合筒22とスケール板36との間の筒体部分内面から突出したから、仮に倒立状態で注出筒28の先端からその筒壁外面へ液が垂れても、上記嵌合筒22により、スケール板36を嵌合した筒体部分まで液が流れていくことを防止できる。
○連結筒部材10は、その内面から注出樋18を起立したから、この注出樋を用いて、小径の注出筒28開口部へ内容物を確実に注入することができる。
【発明を実施するための最良の形態】
【００３２】
本発明に係る計量容器は、容器体２と、連結筒部材10と、計量キャップ20とで構成されている。この容器の構成のうちまず公知の部分を簡単に説明する。
【００３３】
容器体２は、肩部を介して口頸部４を起立している。
【００３４】
連結筒部材10は、周壁12の下半部12ａから内向きフランジ状壁を介して上半部12ｂを起立して、その内向きフランジ状壁を口頸部４上端面に係止している。又、上記上半部12ｂの下端部からは有底筒状の仕切り壁14を垂設して、この仕切り壁の底部に開口した透孔16の孔縁前半部から半筒形の注出樋18を起立している。尚、図示例のものでは、仕切り壁の底部を、上前方から下後方への傾斜壁としている。
【００３５】
計量キャップ20は、有頂筒形のもので、上記連結筒部材10の周壁上半部12ｂに嵌合させている。
【００３６】
上記各部材は合成樹脂で成形することができる。
【００３７】
本発明においては、計量キャップ20は、この図示例では、筒体20ａと天蓋20ｂとの２部品で形成されている。
【００３８】
上記筒体20ａは、下端部で形成する嵌合筒22の上端から内向きフランジ24を介して直筒形の主筒部26を起立するとともに、その主筒部の下端から下端小径の注出筒28を下方突出している。そしてこの注出筒28内方へ上記注出樋18を挿入させた状態で、上記嵌合筒22を連結筒部材10の上半部12ｂに液密に嵌合させている。筒体20ａは、全体として無色透明に形成している。
【００３９】
上記天蓋20ｂは、頂壁30の周縁から垂下する周壁32の下端部を、小外径部34として、この小外径部の外面に上記連結筒部材の上半部12ｂ上端部分を液密に嵌合している。また、小外径部34の下端面からは、上記主筒部26の内面に沿って複数のスケール板36を垂下している。これらスケール板は、各スケール板で計量しようとする容量（図示例では10cc、20cc、30cc）に対応した垂下長を有している。又、図示例では、３つのスケール板36を相互に連続させて階段状に形成している。天蓋20ｂは、スケール板を含めて合成樹脂材で一体成形し、又、例えば内容物が白であれば、赤の材料という如く内容物と明瞭に識別できる色で形成されるものとする。
【００４０】
又、図２に示す如く各スケール板36の下端部に対応する筒体部分外面には、各スケール板で計量できる容量を表す表示要素38を刻印している。尚、筒体20ａと天蓋20ｂとには、上記各スケール板に対して、対応する表示要素38が所定の位置にある場合に相互に係合する位置決め用係合手段（図示せず）を設けても良い。
【００４１】
上記構成において図１の状態より、連結筒部材10の上半部12ｂから計量キャップ20を外して、この計量キャップ20を図３に示す如くテーブルの上面などに置き、容器体２を傾けて注出樋18を介して内容液を、計量キャップ20内へ注入する。このときの計量キャップ20の外観は図４の如くであり、各スケール板36の倒立状態での上端から液面Ｓが表れた時点で所定の液量に達したことが判るので、これにより、確実に計量を行うことができる。又、この注出作業において、注入した液体が飛散して主筒部26内面に付着しても、各スケール板36の色彩は内溶液とは明瞭に区別できるので、該内溶液が倒立時の各スケール板36上端を超えると、これを直ちに認識することができる。又、計量キャップ内で液体が飛散しても筒体20ａの外面に付設した表示要素38に付着して表示が汚れることがない。又、注出作業の途中で注出樋18の先端が注出筒28の開口部からそれても、注出筒28外周面側へこぼれた液体は、嵌合筒22の下端で止まり、主筒部26の外面へ流れていくことがない。
【００４２】
計量キャップ20で計量を終えた後には、この計量キャップを持ち上げて、計量した液体を注出筒28を介して外部へ注出することができる。
【図面の簡単な説明】
【００４３】
【図１】本発明に係る計量容器の縦断面図である。
【図２】図１容器のII−II方向の横断面図である。
【図３】図１容器の作用状態における縦断面図である。
【図４】図３の作用状態における要部外観図である。
【符号の説明】
【００４４】
２…容器体  ４…口頸部
10…連結筒部材  12…周壁  12ａ…下半部  12ｂ…上半部  14…仕切り壁
16…透孔  18…注出樋  20…計量キャップ  20ａ…筒体  20ｂ…天蓋
22…嵌合筒  24…内向きフランジ  26…主筒部  28…注出筒  30…頂壁
32…周壁  34…小外径部  36…スケール板  38…表示要素
【図１】
2007091304.tif 000003
【図２】
2007091304.tif 000004
【図３】
2007091304.tif 000005
【図４】
2007091304.tif 000006